(57)【要約】      （修正有）【課題】パッケージサイズの制約下で圧電板サイズをより大きくして、より低周波用の圧電フィルタを提供可能とする。【解決手段】複数の分割電極と共通電極とを有し、３つの角部に前記分割電極及び共通電極それぞれから引出電極が引き出された２つの圧電板を具備し、両圧電板は、パッケージ４内に並置されると共に、３つの角部Ａ１〜Ｃ１及びＡ２〜Ｃ２に引き出された各引出電極が導電性接着材６でパッケージ４内の接着パッド上に接合され、残りの角部は接合されずに面取りされ、且つ、両圧電板において前記並置方向で対向する２つの角部それぞれの２つの組合せにおいて、１つの組合せは前記導電性接着材が塗布されずに面取りされた面取り角部Ｄ１´と導電性接着材が塗布された角部Ｃ２との組合せであり、もう１つの組合せは、面取り角部Ｄ２´と、導電性接着材が塗布された角部Ｃ１との組合せである。【選択図】図２
2014086982.tif 000002
【特許請求の範囲】
【請求項１】
一方の面に複数の分割電極を、また他方の面に共通電極を形成した２枚の圧電板がパッケージ内に並置され、各圧電板は、外周縁上の４つの角部のうちの３つの角部に前記電極それぞれから引出電極が引き出され、前記引出電極は導電性接着材の塗布によりパッケージ内の接着パッド上に接合された圧電フィルタであって、
前記２つの圧電板は、それぞれ、前記並置方向で対向する２つの角部を有し、一方の圧電板と他方の圧電板の前記並置方向で対向する角部の組合せが、前記導電性接着材が塗布されずに面取りされた面取り角部と、前記導電性接着材が塗布された角部との組合せである、
ことを特徴とする圧電フィルタ。
【請求項２】
一方の圧電板において前記面取りにより空白領域となった面取り領域内に、他方の圧電板の導電性接着材が位置付けるよう、前記両圧電板それぞれのサイズを前記両圧電板が前記並置方向で対向する２つの角部方向に拡大した、請求項１に記載の圧電フィルタ。
【請求項３】
前記両圧電板それぞれの前記並置方向で対向する一部同士を上下配置の関係で且つ非接触状態で重なるよう、前記両圧電板それぞれのサイズを前記両圧電板が前記並置方向で対向する２つの角部方向に拡大した、請求項２に記載の圧電フィルタ。
【請求項４】
前記圧電板の上面の引出電極が引き出され且つ該引出電極が導電性接着材の上塗りで前記接着パッドに接合される角部が面取りされて面取り角部とされ、該面取りにより、前記面取り角部と前記パッケージの内壁との間に前記上塗り塗布のための隙間が形成される、請求項１ないし３のいずれかに記載の圧電フィルタ。
【請求項５】
前記圧電板において、前記導電性接着材の上塗りで前記接着パッドに接合されてなる前記面取り角部と、前記導電性接着材が塗布されず面取りされた前記面取り角部とが、前記圧電板の対角線上で対向する、請求項４に記載の圧電フィルタ。
【請求項６】
前記圧電板の４つの角部に対向する前記分割電極および共通電極の角部が面取りされている、請求項１ないし５のいずれかに記載の圧電フィルタ。
【請求項７】
一方の面に複数の分割電極、また他方の面に共通電極を有すると共に外周縁上の４つの角部のうちの３つの角部に前記電極それぞれから引出電極が引き出された矩形状の圧電板を具備し、前記圧電板の前記３つの角部のうち、パッケージ内の接着パッドに導電性接着材の上塗りで接合される引出電極が引き出される角部が面取りされて面取り角部とされ、該面取りにより、前記面取り角部と前記パッケージの内壁との間に前記上塗り塗布のための隙間が形成されるようにしている、ことを特徴とする圧電フィルタ。
【発明の詳細な説明】
【技術分野】
【０００１】
本発明は、圧電フィルタに係り、特には、圧電板の厚みすべり振動等を利用した圧電フィルタに関する。
【背景技術】
【０００２】
圧電フィルタは、通信機器等の分野で広く用いられているフィルタである。圧電フィルタには、圧電板の一方の面に入出力用の分割電極を形成し、他方の面に両分割電極に対向する共通電極を形成した所謂２ポールタイプがある。
【０００３】
この圧電フィルタは、前記両分割電極による振動相互の音響結合を利用し、圧電板に発生する対称モードの共振周波数ｆｓと非対称モードの共振周波数ｆａとが重畳し合って、中心周波数が略ｆａ、通過帯域幅が略２×（ｆａ−ｆｓ）となる所謂多重モードフィルタである。かかる圧電フィルタには、前記圧電板を２枚備え、これらを縦続接続して構成した４ポールタイプもある（特許文献１参照）。
【０００４】
この特許文献１の圧電フィルタにおいては、パッケージ内の並置された２つの圧電板それぞれの入力側の分割電極と出力側の分割電極との形成位置関係を認識するための認識手段として、前記２つの圧電板それぞれの外周縁４つの角部のうち並置方向一方の片側角部を面取りしている。
【０００５】
こうした圧電フィルタにおいては、パッケージ内に設けられた接着パッド上に圧電板を搭載し、該圧電板の両面それぞれに形成した分割電極や共通電極を、引出電極により圧電板の角部にまで引き出して導電性接着材を塗布することで前記接着パッドに接合している。
【先行技術文献】
【特許文献】
【０００６】
【特許文献１】特開２００４−１２８８８５号公報
【発明の概要】
【発明が解決しようとする課題】
【０００７】
このような特許文献１に記載の圧電フィルタのように、パッケージ内に圧電板を２枚並置した圧電フィルタにおいて、より低周波用とするには、圧電板のサイズを拡大することが必要である。
【０００８】
しかし、圧電板のサイズを拡大しようとすれば、パッケージ内で両圧電板同士が接触したり、一方側の圧電板に、他方側の圧電板の導電性接着材が接触したりする。この接触状態で、圧電フィルタの製造が行われると、これら製造に際しての高温処理により、圧電フィルタが所望の周波数からシフトするなどして、圧電フィルタの特性が悪化する。そのため、圧電板のサイズを拡大して、低周波用の圧電フィルタを量産するには限界があった。
【０００９】
また、パッケージに収納される圧電板の角部上面の引出電極を、パッケージ内の隅角部近傍の接着パッド上に導電性接着材の上塗りで接合することが必要な場合がある。しかし、この接合の場合、パッケージ内の隅角部近傍の内壁と圧電板の角部との隙間が狭いために、導電性接着材が接着パッドに回り込み難くなっている。そのため、前記接合を確実に行う上で該接合作業に時間を要する結果、圧電フィルタの量産性が低下する。
【００１０】
一方、接着パッドを、パッケージ内の隅角部より離間した位置とすると、パッケージ内部に収納する圧電板のサイズも縮小化されるため、圧電板のサイズを拡大して、低周波用の圧電フィルタの量産ができなくなる。
【００１１】
本発明は、上記に鑑みてなされたものであり、圧電板サイズを拡大して、低周波用の圧電フィルタを提供することを目的としている。
【００１２】
本発明はまた、パッケージ内の隅角部近傍に配置された接着パッドに圧電板の電極を導電性接着材の上塗りで接合する際、該接合の作業が容易な圧電フィルタを提供することを他の目的としている。
【課題を解決するための手段】
【００１３】
本発明第１にかかる圧電フィルタは、一方の面に複数の分割電極を、また他方の面に共通電極を形成した２枚の圧電板がパッケージ内に並置され、各圧電板は、外周縁上の４つの角部のうちの３つの角部に前記電極それぞれから引出電極が引き出され、前記引出電極は導電性接着材の塗布によりパッケージ内の接着パッド上に接合された圧電フィルタであって、前記２つの圧電板は、それぞれ、前記並置方向で対向する２つの角部を有し、一方の圧電板と他方の圧電板の前記並置方向で対向する角部の組合せが、前記導電性接着材が塗布されずに面取りされた面取り角部と、前記導電性接着材が塗布された角部との組合せであることを特徴とする。
【００１４】
本発明第１によれば、パッケージ内で並置された前記２つの圧電板の並置方向で対向する角部の組合せが、前記導電性接着材が塗布されずに面取りされた面取り角部と、前記導電性接着材が塗布された角部との組合せであるので、一方の圧電板の、面取りされて空白領域となった面取り領域内に、他方の圧電板の導電性接着材が塗布された角部が位置付けるように、両圧電板のサイズを拡大してパッケージ内に配置することができ、これにより、両圧電板のサイズを拡大できた分、より低周波用の圧電フィルタを構成することができる。
【００１５】
好ましい実施態様は、一方の圧電板において前記面取りにより空白領域となった面取り領域内に、他方の圧電板の導電性接着材が位置付けるよう、前記両圧電板それぞれのサイズを前記両圧電板が前記並置方向で対向する２つの角部方向に拡大したことである。
【００１６】
好ましい実施態様は、前記両圧電板それぞれの前記並置方向で対向する一部同士を上下配置の関係で且つ非接触状態で重なるよう、前記両圧電板それぞれのサイズを前記両圧電板が前記並置方向で対向する２つの角部方向に拡大したことである。
【００１７】
これらの実施態様によれば、前記両圧電板のサイズを拡大しても、両圧電板は接触することがないので、周波数特性を安定化させた状態で前記サイズの拡大を行え、これにより、より低周波用の圧電フィルタを構成することができる。
【００１８】
好ましい実施態様は、前記圧電板の上面に引出電極が引き出され且つ該引出電極が導電性接着材の上塗りで前記接着パッドに接合される角部が面取りされて面取り角部とされ、該面取りにより、前記面取り角部と前記パッケージの内壁との間に前記上塗り塗布のための隙間が形成される。
【００１９】
この実施態様によれば、圧電板上面の角部にまで引き出された引出電極を導電性接着材の上塗りによりパッケージの接着パッド上に接合する場合、当該上塗りする角部は面取りされているので、接着パッドがパッケージの隅角部近傍に形成されていても、パッケージの隅角部近傍の内壁面と圧電板の面取り角部との隙間から、導電性接着材を上塗りして引出電極を接着パッドに容易確実に接合することができる。
【００２０】
好ましい実施態様は、前記圧電板において、導電性接着材の上塗りで前記接着パッドに接合される前記面取り角部と、前記導電性接着材が塗布されず面取りされてなる前記面取り角部とが、前記圧電板の対角線上で対向する。
【００２１】
好ましい実施態様は、前記圧電板の４つの角部に対向する前記分割電極および共通電極の角部が面取りされている。
【００２２】
これらの実施態様によれば、前記両圧電板のサイズを拡大しても、分割電極や共通電極もその角部が面取りされているので、２つの圧電板を並置方向に近接させて相手側の圧電板の導電性接着材の塗布位置が近づいても、その導電性接着材の塗布の影響を受けにくくなり、周波数特性が安定化する。
【００２３】
本発明第２にかかる圧電フィルタは、一方の面に複数の分割電極、また他方の面に共通電極を有すると共に外周縁上の４つの角部のうちの３つの角部に前記電極それぞれから引出電極が引き出された矩形状の圧電板を具備し、前記圧電板の前記３つの角部のうち、パッケージ内の接着パッドに導電性接着材の上塗りで接合される引出電極が引き出される角部が面取りされて面取り角部とされ、該面取りにより、前記面取り角部と前記パッケージの内壁との間に前記上塗り塗布のための隙間が形成されるようにしている、ことを特徴とする。
【００２４】
本発明第２によれば、パッケージに収納されると、その上面の引出電極を導電性接着材の塗布上塗りでパッケージ内の接着パッドに接合するとき、前記面取りにより前記面取り角部とパッケージの内壁との間に大きい隙間が形成されるので、前記導電性接着材の上塗りによる前記引出電極の接着パッドへの接合作業が容易化する。
【００２５】
そして加えて、この圧電フィルタによれば、パッケージの隅角部近傍に配置された接着パッドに、引出電極を導電性接着材の上塗りで接合する場合、前記面取り角部が形成されていない場合よりも接着パッドをパッケージの隅角部のより近傍位置に配置し、同時に圧電板のサイズをその接着パッドにまで拡大して、前記導電性接着材の上塗りを行うことが可能となる結果、圧電板を拡大して、より低周波用の圧電フィルタを得ることができる。
【００２６】
なお、圧電板は、全体が平板状とした平板型、中央の振動領域の肉厚に対しその周囲のそれより厚肉とした逆メサ型、中央の振動領域の肉厚が周囲のそれより薄肉としたメサ型のいずれであってもよい。
【００２７】
好ましくは、前記圧電板はＡＴカットされた水晶板であるが、これに限定されず、タンタル酸リチウムやニオブ酸リチウムなど他の圧電材料からなる圧電板でもよい。
【発明の効果】
【００２８】
本発明では、パッケージ内に並置された２つの圧電板が、それぞれ、前記並置方向で対向する２つの角部を有し、一方の圧電板と他方の圧電板の前記並置方向で対向する角部の組合せが、前記導電性接着材が塗布されずに面取りされた面取り角部と、前記導電性接着材が塗布された角部との組合せであるので、一方の圧電板の、面取りされて空白領域となった面取り領域内に、他方の圧電板の導電性接着材が塗布された角部が位置付けて、当該両圧電板のサイズを拡大してパッケージ内に配置することができ、これにより、両圧電板のサイズを拡大できた分、より低周波用の圧電フィルタを構成することができる。
【図面の簡単な説明】
【００２９】
【図１】図１（ａ）は、本発明の実施形態に係る圧電フィルタの平面図、図１（ｂ）は図１（ａ）のＡ−Ａ線断面図である。
【図２】図２（ａ）は、圧電板サイズ拡大前の圧電フィルタの平面図、図２（ｂ）は圧電板サイズを拡大した本発明の他の実施形態に係る圧電フィルタの平面図である。
【図３】図３（ａ）は、図２（ａ）に対応する圧電フィルタの平面図、図３（ｂ）は、圧電板サイズを拡大した本発明のさらに他の実施形態に係る後の圧電フィルタの平面図である。
【図４】図４（ａ）は、本発明のさらに他の実施形態に係る圧電フィルタの平面図、図４（ｂ）は、図４（ａ）のＣ−Ｃ線断面図である。
【図５】図５は、本発明のさらに他の実施形態に係る圧電フィルタの平面図である。
【図６】図６は、本発明のさらに他の実施形態に係る圧電フィルタの平面図である。
【図７】図７（ａ）は、本発明のさらに他の実施形態に係る圧電フィルタの平面図、図７（ｂ）は、図７（ａ）のＤ−Ｄ線断面図である。
【発明を実施するための形態】
【００３０】
以下、添付した図面を参照して、本発明の実施の形態に係る圧電フィルタを説明する。この圧電フィルタに用いる圧電板はＡＴカット水晶板である。
【００３１】
図１（ａ）（ｂ）を参照して、実施形態の圧電フィルタを説明する。図１（ａ）は、圧電フィルタの概略平面図、図１（ｂ）は図１（ａ）のＡ−Ａ線断面図、図２は図１の圧電フィルタにおける圧電板を拡大して示す平面図である。
【００３２】
圧電フィルタＦ１は、２ポールタイプの２つの圧電板２，３を縦続接続してなり、これら圧電板２，３を、外形が平面視矩形状のパッケージ４に収納して構成される。パッケージ４の平面視矩形形状の開口は図示略の蓋体により気密封止される。パッケージ４は、平面視矩形形状の底部４ａと、その底部４ａの四周に枠状に立設する周部４ｂとで内部に凹部４ｃを備え、この底部４ａの内底面に複数の接着パッド５が適宜間隔で形成され、各接着パッド５上それぞれに導電性接着材６が下塗りされて、圧電フィルタＦ１を構成する２つの圧電板２、３が並置搭載される。
【００３３】
この下塗りにより各圧電板２、３の裏面側で離間して対向する分割電極７ａ，７ｂ；８ａ，８ｂそれぞれの引出電極７ｃ，７ｄ；８ｃ，８ｄは接着パッド５に接合される。また、圧電板２，３の表面側の共通電極９ａ，９ｂそれぞれの引出電極９ｃ，９ｄは導電性接着材１０の上塗りにより接着パッド５に接合される。
【００３４】
なお、圧電板２，３は、例えば、電気軸を前記Ｘ軸とし、機械軸であるＹ軸から３５．１５°ずれた新たなＹ´軸とし、さらに光学軸であるＺ軸から３５．１５°ずれた新たな前記Ｚ´軸として各結晶軸に沿って形成された直方体形状をなし、例えば平面視略矩形状のＡＴカットの水晶板からなる。
【００３５】
圧電板２，３は、上記結晶軸に関して、パッケージ４内において、Ｚ´軸方向に並置され、それぞれの分割電極７ａ，７ｂ；８ａ，８ｂは、圧電板２，３のＸ軸方向に対向して形成され、共通電極９ａ，９ｂは、それに対応して形成されている。
【００３６】
圧電板２において、分割電極７ａは入力側分割電極となり、分割電極７ｂは出力側分割電極となる。また、圧電板２の出力側分割電極７ｂは、圧電板３の入力側分割電極８ｃに、パッケージ４内部を通る配線を介して接続されている。圧電板３において、分割電極８ｃは入力側分割電極となり、分割電極８ｄは出力側分割電極となる。
【００３７】
これにより、圧電フィルタＦ１は、２ポールタイプの圧電板２，３を２つ縦続接続し、圧電板２，３それぞれの分割電極７ａ，７ｂ；８ａ，８ｂによる振動相互の音響結合を利用し、圧電板２，３に発生する対称モードの共振周波数ｆｓと非対称モードの共振周波数ｆａとが重畳し合って、中心周波数が略ｆａ、通過帯域幅が略２×（ｆａ−ｆｓ）となる４ポールタイプの圧電フィルタを実現する。
【００３８】
以上の構成において、圧電フィルタＦ１は、圧電板２，３それぞれの４つの角部Ａ１〜Ｄ１；Ａ２〜Ｄ２のうち、導電性接着材５，１０が塗布される３つの角部Ａ１〜Ｃ１；Ａ２〜Ｃ２に前記各電極からの引出電極が形成されており、導電性接着材が塗布されない残りの角部Ｄ１，Ｄ２が面取りされ、面取りされた角部（面取り角部）Ｄ１´，Ｄ２´となっている。
【００３９】
詳しくは、圧電板２，３は、パッケージ４内において、Ｚ´軸方向に並置され、その並置方向では、圧電板３の導電性接着材６が塗布される角部Ｃ２と、圧電板２の導電性接着材６が塗布されない面取り角部Ｄ１´とが相対向し、また、圧電板３の導電性接着材６が塗布されない面取り角部Ｄ２´と、圧電板２の導電性接着材６が塗布される角部Ｃ１とが相対向している。
【００４０】
これにより、圧電フィルタＦ１においては圧電板３の導電性接着材６が塗布される角部Ｃ２を、圧電板２の導電性接着材６が塗布されない面取り角部Ｄ１´に接触しない範囲まで近づけ、また、圧電板２の導電性接着材６が塗布される角部Ｃ１を、圧電板３の導電性接着材６が塗布されない面取り角部Ｄ２´に接触しない範囲まで近づけることができる。
【００４１】
これにより両圧電板２，３のサイズを前記並置方向に拡大して、低周波用に、適した圧電フィルタＦ１とすることができる。
【００４２】
次に、両圧電板２，３のサイズを図２（ａ）から図２（ｂ）のようにさらに前記並置方向に拡大して、低周波用に、より適した圧電フィルタＦ２とすることができる。
【００４３】
圧電フィルタＦ２では、圧電板３の角部Ｃ２の導電性接着材６は圧電板２の面取り角部Ｄ１´に接触しないで面取り領域（角部が削除されて形成された空白領域）Ｄ１´´に一部ないしは全体を位置付け、また、圧電板２の角部Ｃ１の導電性接着材６は圧電板３の面取り角部Ｄ２´に接触しないで面取り領域Ｄ２´´内に一部ないしは全体を位置付けて、圧電板２，３の並置方向（Ｚ´軸方向）サイズを、それぞれ、図２（ａ）のＬ１から図２（ｂ）のＬ２（＞Ｌ１）により拡大して、より低周波帯用の第２の圧電フィルタＦ２を形成することができる。ただし、Ｌ０はパッケージ４内の底部４ａのＺ´軸方向距離である
以上により、圧電フィルタＦ２によれば、パッケージ内で２枚の圧電板２，３のサイズが並置方向により拡大されたので、パッケージ内で詰めて配置することができる結果、より低周波用の圧電フィルタを構成することができる。
【００４４】
図３（ａ）（ｂ）を参照して本発明の他の実施形態に係る圧電フィルタを説明する。図３（ａ）は図２（ａ）に対応する圧電フィルタであり、この圧電フィルタに対して、さらに、図３（ｂ）に示すように、両圧電板２，３を並置方向における一部において上下の配置関係としてさらに圧電板２，３のサイズをＬ１からＬ３（＞Ｌ２）により拡大して圧電フィルタＦ３を構成したものである。
【００４５】
圧電フィルタＦ３では、圧電板２，３の上下に重なる距離Ｌ４を調整することで、圧電板２，３サイズを任意に調整し、低周波用に対応した圧電フィルタとすることができる。この場合、面取り領域Ｄ１´´，Ｄ２´´に、圧電板２，３の角部Ｃ１，Ｃ２の導電性接着材６を図２（ｂ）の場合よりもより多く位置付けることができるので、圧電板２，３のサイズを並置方向により拡大して、より低周波用の圧電フィルタとすることができる。
【００４６】
図４（ａ）（ｂ）を参照して本発明のさらに他の実施形態に係る圧電フィルタを説明する。図４（ａ）は圧電フィルタの平面図、図４（ｂ）は図４（ａ）のＣ−Ｃ線断面図である。図４（ａ）（ｂ）において、図１〜図３と対応する部分には同一の符号を付している。この実施形態では、図１の実施形態とほぼ同様の構成を有するので、同様の構成部分の詳細な説明は省略する。
【００４７】
圧電フィルタＦ４は、圧電板２，３上面の引出電極９ｃ，９ｄが引き出される角部Ｂ１，Ｂ２が面取りされて、面取り角部Ｂ１´、Ｂ２´となっている。
【００４８】
圧電フィルタＦ４によれば、パッケージ４の接着パッド５上に圧電板２，３上面の面取り角部Ｂ１´、Ｂ２´まで引き出された引出電極９ｃ，９ｄを導電性接着材１０の上塗りにより接合する場合、当該角部Ｂ１，Ｂ２が面取りされてなる面取り角部Ｂ１´、Ｂ２´と、パッケージ４の内壁面４ｄとの隙間１１が広がり、導電性接着材塗布機械であるディスペンサーで容易に導電性接着材１０を上塗り塗布して、引出電極９ｃ，９ｄを接着パッド５に接合することができる。
【００４９】
なお、図４の圧電フィルタＦ４では、圧電板２，３上面には、共通電極９ａ，９ｂが形成されていたが、圧電板２，３の上面に分割電極７ａ，７ｂ；８ａ，８ｂを形成する場合は、図５の圧電フィルタＦ５のように、圧電板２，３の分割電極７ａ，７ｂ；８ａ，８ｂそれぞれの引出電極７ｃ，７ｄ；８ｃ，８ｄに対応する角部Ａ１，Ｃ１；Ａ２，Ｃ２を面取りして、それぞれ、面取り角部Ａ１´、Ｃ１´；Ａ２´、Ｃ２´とするとよい。
【００５０】
圧電フィルタＦ５の場合も、パッケージ４の接着パッド５上に圧電板２，３上面の面取り角部Ａ１´、Ｃ１´；Ａ２´、Ｃ２´まで引き出された引出電極７ｃ，７ｄ；８ｃ，８ｄを導電性接着材６の上塗りにより接合する場合、面取り角部Ａ１´、Ｃ１´；Ａ２´、Ｃ２´と、パッケージ４の内壁面との隙間を通じてその接合を容易に行うことができる。
【００５１】
図６を参照して本発明のさらに他の実施形態に係る圧電フィルタを説明する。この圧電フィルタＦ６では、圧電板２，３の分割電極７ａ，７ｂ；８ａ，８ｂ、および共通電極９ａ，９ｂそれぞれの角部を面取りし、圧電板２において、分割電極７ａの面取り角部７ａ１，７ａ２，分割電極７ｂの面取り角部７ｂ１，７ｂ２、共通電極９ａの面取り角部９ａ１〜９ａ４、また、圧電板３において，分割電極８ａの面取り角部８ａ１，８ａ２，分割電極８ｂの面取り角部８ｂ１，８ｂ２、共通電極９ｂの面取り角部９ｂ１〜９ｂ４を形成している。
【００５２】
圧電フィルタＦ６によれば、分割電極７ａ，７ｂ；８ａ，８ｂや共通電極９ａ，９ｂもその角部が面取りされているので、２つの圧電板２，３を並置方向に近接させて相手側の圧電板の導電性接着材の塗布位置が近づいても、その導電性接着材の塗布の影響を受けにくく、周波数特性が安定化する。なお、圧電フィルタＦ６は、上記電極の構成以外は、圧電板２，３が図４と同様の構成を有する。
【００５３】
図７（ａ）（ｂ）を参照して本発明のさらに他の実施形態に係る圧電フィルタを説明する。図７（ａ）は圧電フィルタの平面図、図７（ｂ）は図７（ａ）のＤ−Ｄ線断面図である。圧電フィルタＦ７は、パッケージ１３と、これに収納される圧電板１４とを備える。パッケージ１３は、凹部１３ａを有し且つ該凹部１３ａの内底面１３ｂに接着パッド１３ｃを備える。
【００５４】
圧電板１４は、一方の面に分割電極１４ａ，１４ｂ、また他方の面に共通電極１４ｃを有すると共に角部Ａに分割電極１４ａの引出電極１４ｄ、面取り角部Ｂ´に共通電極１４ｃの引出電極１４ｅ、角部Ｃに分割電極１４ｂの引出電極１４ｆが引き出されている。
【００５５】
圧電フィルタＦ７においては、分割電極１４ａ，１４ｂそれぞれの引出電極１４ｄ，１４ｆは、接着パッド１３ｃ上に下塗りされた導電性接着材１５に接合される一方、共通電極１４ｃの引出電極１４ｅは、接着パッド１３ｃに導電性接着材１６の上塗りで接合される。そして、共通電極１４ｃから引出電極１４ｅが引き出される角部は面取りされて面取り角部Ｂ´となっていて、パッケージ１３の内壁１３ｄとの間に前記上塗り塗布のための隙間１７が形成されているので、圧電フィルタＦ７では、導電性接着材の上塗りが容易となっている。
【００５６】
以上の圧電フィルタＦ１〜Ｆ７の共通電極９ａ，９ｂは、平面視矩形形状となっているが、分割電極７ａ，７ｂ；８ａ，８ｂの形状に対応して平面視「Ｈ」形状としてもよい。また、共通電極９ａ，９ｂは、平面視「Ｈ」形状のものが、周波数調整であるパーシャル調整により平面視矩形形状とされたものでもよい。
【００５７】
なお、実施形態の圧電板は、ＡＴカットされた水晶板であるが、これに限定されず、タンタル酸リチウムやニオブ酸リチウムなど他の圧電材料からなる圧電板にも適用できる。
【符号の説明】
【００５８】
Ｆ１〜Ｆ７  圧電フィルタ
２，３    圧電板
７ａ，７ｂ；８ａ，８ｂ  分割電極
９ａ，９ｂ              共通電極
７ｃ，７ｄ  引出電極
９ｃ，９ｄ  引出電極
４  パッケージ
５  接着パッド
６  下塗りの導電性接着材
１０  上塗りの導電性接着材
Ａ１，Ｂ１，Ｃ１  導電性接着材が塗布される角部
Ｄ１              導電性接着材が塗布されない角部
Ｄ１´            導電性接着材が塗布されず面取りされた面取り角部
Ａ２，Ｂ２，Ｃ２  導電性接着材が塗布される角部
Ｄ２              導電性接着材が塗布されない角部
Ｄ２´            導電性接着材が塗布されず面取りされた面取り角部
【図１】
2014086982.tif 000003
【図２】
2014086982.tif 000004
【図３】
2014086982.tif 000005
【図４】
2014086982.tif 000006
【図５】
2014086982.tif 000007
【図６】
2014086982.tif 000008
【図７】
2014086982.tif 000009